【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
静電機械であって、
ギャップによって分離され、かつコンデンサを形成する駆動電極および固定子電極であって、前記駆動電極が、前記固定子電極に対して動くように構成されている、駆動電極および固定子電極と、
前記駆動電極および前記固定子電極を囲むように構成された筐体であって、前記固定子電極が、前記筐体に固定されている、筐体と、
前記筐体、前記駆動電極、および前記固定子電極によって画定された空隙を充填する誘電流体と、を備え、前記誘電流体が、エステルを含む、静電機械。
【請求項２】
前記エステルは、式Ｒ−Ｃ（Ｏ）Ｏ−Ｒ’の化合物であり、式中、ＲおよびＲ’は、個々に置換または非置換のアルキルまたはアルケニル基であるか、または、好ましくは置換または非置換のＣ1−Ｃ30アルキルまたはアルケニル基であるか；又はより好ましくは置換または非置換のＣ1−Ｃ24アルキルまたはアルケニル基であるか；又は最も好ましくは置換または非置換のＣ1−Ｃ12アルキルまたはアルケニル基である、請求項１に記載の静電機械。
【請求項３】
Ｒは、置換もしくは非置換のＣ5−Ｃ10アルキル基、または置換もしくは非置換のＣ5−Ｃ12アルケニル基であり、かつＲ’は、置換または非置換のＣ1−Ｃ3アルキル基であるか；あるいはＲ’は、置換または非置換のＣ5−Ｃ10アルキル基、または置換もしくは非置換のＣ5−Ｃ12アルケニル基であり、かつＲは、置換または非置換のＣ1−Ｃ3アルキル基
である、請求項２に記載の静電機械。
【請求項４】
前記エステルは、
【化１】
2019537919.tif 000001
およびそれらの２つ以上の組み合わせからなる群から選択される、請求項２に記載の静電機械。
【請求項５】
前記エステルは、式ＲＯＣ（Ｏ）ＣＲ”Ｃ（Ｏ）ＯＲ’の化合物であり、式中、Ｒ、Ｒ’、およびＲ”は、個々に置換または非置換のアルキルまたはアルケニル基であり；好ましくは置換または非置換のＣ1−Ｃ30アルキルまたはアルケニル基であり；又はより好ましくは置換または非置換のＣ1−Ｃ12アルキルまたはアルケニル基である、請求項１に記載の静電機械。
【請求項６】
前記エステルは、マロン酸ジエチル、マロン酸ジエチルエチル、マロン酸メチルエチル、マロン酸エチルプロピル、マロン酸ジプロピル、及びそれらの任意の２つ以上の混合物からなる群から選択される高誘電マロン酸である、請求項１に記載の静電機械。
【請求項７】
前記誘電流体は、カーボネート部分を有する化合物、ニトリル置換ヘテロ芳香族溶媒；環状構造および−ＯＣ（Ｏ）Ｎ−で表される部分を含む溶媒、フッ素化非環状炭化水素、またはスルホニル基を含む溶媒をさらに含む、請求項１〜６のいずれか１項に記載の静電機械。
【請求項８】
前記誘電流体は、２−ピリジンカルボニトリルをさらに含むか；又は、前記誘電流体は、約１０ｗｔ％の２−ピリジンカルボニトリルおよび約９０ｗｔ％の炭酸プロピレン、をさらに含む、請求項１〜６のいずれか１項に記載の静電機械。
【請求項９】
前記誘電流体は、３−メチル−２−オキサゾリジノン、３−エチル−２−オキサゾリジノン、または３−メチル−１，３−オキサジナン−２−オン、炭酸エチレン、炭酸ジメチル、炭酸ジエチル、炭酸エチルメチル、炭酸ジプロピル、炭酸プロピレン、酪酸メチル、γ−ブチロラクトン、Ｎ−メチルピロリジノン、炭酸ビニレン、ジオキソラン、δ−ブチロラクトン、ジエチルエーテル、またはそれらの任意の２つ以上の混合物をさらに含む、請求項１〜６のいずれか１項に記載の静電機械。
【請求項１０】
前記誘電流体は、９９％を超える純度を有する炭酸プロピレンをさらに含む、請求項１〜６のいずれか１項に記載の静電機械。
【請求項１１】
前記駆動電極および前記固定子電極は、それぞれ、前記駆動電極と前記固定子電極との間の前記ギャップに第２の誘電体を使用して形成された不動態化層を含み、前記第２の誘電流体は、９９ｗｔ％未満の炭酸プロピレンを含む、請求項１に記載の静電機械。
【請求項１２】
複数のスイッチを介して直流電力を交流電力に変換するように構成された電流源インバータをさらに含み、前記電流源インバータは、前記駆動電極と前記固定子電極との間に前記交流電力を供給するように構成され、前記駆動電極と、前記固定子電極と、前記複数のスイッチとの間に電気的に接続されている受動電気部品が存在しない、請求項１に記載の静電機械。
【請求項１３】
複数のスイッチを介して直流電力を交流電力に変換するように構成された電圧源インバータをさらに含み、前記駆動電極と、前記固定子電極と、前記複数のスイッチとの間に複数のインダクタが電気的に接続されている、請求項１に記載の静電機械。
【請求項１４】
前記駆動電極は、駆動平板を備え、前記固定子電極は、固定子平板を備え、前記駆動平板および前記固定子平板は、平行である、請求項１に記載の静電機械。
【請求項１５】
前記誘電流体は、ポリイソブチレン、ポリエチレンオキシド、ポリアクリルアミド、多糖類、界面活性剤、固体粒子懸濁液、およびそれらの任意の２つ以上の組み合わせからなる群から選択される抵抗減少剤をさらに含む、請求項１〜１４のいずれか１項に記載の静電機械。
【手続補正２】
【補正対象書類名】明細書
【補正対象項目名】０１３０
【補正方法】変更
【補正の内容】
【０１３０】
例示的実施形態の前述の説明は、例示および説明の目的で提示されている。開示された正確な形態に関して網羅的または限定的であることを意図するものではなく、上述の教示に照らして修正および変形が可能であり、または開示された実施形態の実践から習得できるかもしれない。本発明の範囲は、添付の特許請求の範囲およびそれらの等価物によって定義されることを意図するものである。
本発明は、以下の事項を含んでいるともいえる。
（付記１）
静電機械であって、
ギャップによって分離され、かつコンデンサを形成する駆動電極および固定子電極であって、前記駆動電極が、前記固定子電極に対して動くように構成されている、駆動電極および固定子電極と、
前記駆動電極および前記固定子電極を囲むように構成された筐体であって、前記固定子電極が、前記筐体に固定されている、筐体と、
前記筐体、前記駆動電極、および前記固定子電極によって画定された空隙を充填する誘電流体と、を備え、前記誘電流体が、エステルを含む、静電機械。
（付記２）
前記エステルは、式Ｒ−Ｃ（Ｏ）Ｏ−Ｒ’の化合物であり、式中、ＲおよびＲ’は、個々に置換または非置換のアルキルまたはアルケニル基である、付記１に記載の静電機械。
（付記３）
ＲおよびＲ’は、個々に置換または非置換のＣ1−Ｃ30アルキルまたはアルケニル基である、付記２に記載の静電機械。
（付記４）
ＲおよびＲ’は、個々に置換または非置換のＣ1−Ｃ24アルキルまたはアルケニル基である、付記２に記載の静電機械。
（付記５）
ＲおよびＲ’は、個々に置換または非置換のＣ1−Ｃ12アルキルまたはアルケニル基である、付記２に記載の静電機械。
（付記６）
Ｒは、置換もしくは非置換のＣ5−Ｃ10アルキル基、または置換もしくは非置換のＣ5−Ｃ12アルケニル基であり、かつＲ’は、置換または非置換のＣ1−Ｃ3アルキル基であるか、あるいはＲ’は、置換または非置換のＣ5−Ｃ10アルキル基、または置換もしくは非置換のＣ5−Ｃ12アルケニル基であり、かつＲは、置換または非置換のＣ1−Ｃ3アルキル基である、付記２に記載の静電機械。
（付記７）
前記エステルは、
2019537919.tif 000002
およびそれらの２つ以上の組み合わせからなる群から選択される、付記２に記載の静電機械。
（付記８）
前記エステルは、式ＲＯＣ（Ｏ）ＣＲ”Ｃ（Ｏ）ＯＲ’の化合物であり、式中、Ｒ、Ｒ’、およびＲ”は、個々に置換または非置換のアルキルまたはアルケニル基である、付記１に記載の静電機械。
（付記９）
Ｒ、Ｒ’、およびＲ”は、個々に置換または非置換のＣ1−Ｃ30アルキルまたはアルケニル基である、付記８に記載の静電機械。
（付記１０）
Ｒ、Ｒ’、およびＲ”は、個々に置換または非置換のＣ1−Ｃ12アルキルまたはアルケニル基である、付記８に記載の静電機械。
（付記１１）
前記エステルは、高誘電マロン酸である、付記１に記載の静電機械。
（付記１２）
前記エステルは、マロン酸ジエチル、マロン酸ジエチルエチル、マロン酸メチルエチル、マロン酸エチルプロピル、マロン酸ジプロピル、またはそれらの２つ以上の混合物である、付記１１に記載の静電機械。
（付記１３）
前記誘電流体は、カーボネート部分をさらに含む、付記１〜１２のいずれか１項に記載の静電機械。
（付記１４）
前記誘電流体は、ニトリル置換ヘテロ芳香族溶媒をさらに含む、付記１〜１２のいずれか１項に記載の静電機械。
（付記１５）
前記誘電流体は、２−ピリジンカルボニトリルをさらに含む、付記１〜１２のいずれか１項に記載の静電機械。
（付記１６）
前記誘電流体は、約１０ｗｔ％の２−ピリジンカルボニトリルおよび約９０ｗｔ％の炭酸プロピレンをさらに含む、付記１〜１２のいずれか１項に記載の静電機械。
（付記１７）
前記誘電流体は、環状構造、および−ＯＣ（Ｏ）Ｎ−で表される部分をさらに含む、付記１〜１２のいずれか１項に記載の静電機械。
（付記１８）
前記誘電流体は、３−メチル−２−オキサゾリジノン、３−エチル−２−オキサゾリジノン、または３−メチル−１，３−オキサジナン−２−オンをさらに含む、付記１〜１２のいずれか１項に記載の静電機械。
（付記１９）
前記誘電流体は、フッ素化非環状炭化水素をさらに含む、付記１〜１２のいずれか１項に記載の静電機械。
（付記２０）
前記誘電流体は、Ｃ5Ｈ2Ｆ10をさらに含む、付記１〜１２のいずれか１項に記載の静電機械。
（付記２１）
前記誘電流体は、スルホニル基をさらに含む、付記１〜１２のいずれか１項に記載の静電機械。
（付記２２）
前記誘電流体は、ジメチルスルホン、スルホラン、またはそれらの混合物を含む、付記１〜１２のいずれか１項に記載の静電機械。
（付記２３）
前記誘電流体は、炭酸エチレン、炭酸ジメチル、炭酸ジエチル、炭酸エチルメチル、炭酸ジプロピル、炭酸プロピレン、酪酸メチル、γ−ブチロラクトン、Ｎ−メチルピロリジノン、炭酸ビニレン、ジオキソラン、δ−ブチロラクトン、ジエチルエーテル、またはそれらの任意の２つ以上の混合物を含む、付記１〜１２のいずれか１項に記載の静電機械。
（付記２４）
前記誘電流体は、９９％を超える純度を有する炭酸プロピレンをさらに含む、付記１〜１２のいずれか１項に記載の静電機械。
（付記２５）
前記駆動電極および前記固定子電極は、それぞれ、前記駆動電極と前記固定子電極との間の前記ギャップに第２の誘電体を使用して形成された不動態化層を含み、前記第２の誘電流体は、９９ｗｔ％未満の炭酸プロピレンを含む、付記１に記載の静電機械。
（付記２６）
前記不動態化層を形成するために前記駆動電極と前記固定子電極との間に直流電圧が印加される、付記１９に記載の静電機械。
（付記２７）
複数のスイッチを介して直流電力を交流電力に変換するように構成された電流源インバータをさらに含み、前記電流源インバータは、前記駆動電極と前記固定子電極との間に前記交流電力を供給するように構成され、前記駆動電極と、前記固定子電極と、前記複数のスイッチとの間に電気的に接続されている受動電気部品が存在しない、付記１に記載の静電機械。
（付記２８）
複数のスイッチを介して直流電力を交流電力に変換するように構成された電圧源インバータをさらに含み、前記駆動電極と、前記固定子電極と、前記複数のスイッチとの間に複数のインダクタが電気的に接続されている、付記１に記載の静電機械。
（付記２９）
前記駆動電極は、駆動平板を備え、前記固定子電極は、固定子平板を備え、前記駆動平板および前記固定子平板は、平行である、付記１に記載の静電機械。
（付記３０）
前記駆動平板は、前記駆動平板の外周に複数の歯を備え、前記固定子平板は、環状部の内周から延びる複数の歯を有する前記環状部を備え、前記駆動平板の前記歯と前記固定子平板の前記歯とが前記コンデンサを形成する、付記２９に記載の静電機械。
（付記３１）
前記筐体は、ポリプロピレン、アセタール、超高分子量（ＵＨＭＷ）ポリエチレン、ポリエーテルイミドおよびポリテトラフルオロエチレン（ＰＴＦＥ）のうちの少なくとも１つを含む、付記１に記載の静電機械。
（付記３２）
前記誘電流体は、ポリイソブチレン、ポリエチレンオキシド、ポリアクリルアミド、多糖類、界面活性剤、固体粒子懸濁液、およびそれらの任意の２つ以上の組み合わせからな
る群から選択される抵抗減少剤をさらに含む、付記１〜３１のいずれか１項に記載の静電機械。
（付記３３）
前記抵抗減少剤は、１〜１０００ｐｐｍで前記誘電流体内に組み込まれている、付記３２に記載の静電機械。